(57)【特許請求の範囲】
【請求項１】
ビデオＩＦ信号の増幅及び検波を行うＶＩＦ回路と、
該ＶＩＦ回路の出力信号中の音声成分の増幅及び検波を行うＳＩＦ回路と、
前記ＶＩＦ回路中のビデオＩＦ信号が無信号状態であることを検出し、前記ＳＩＦ回路にミュートを行うＩＤ回路と、を備えるＴＶ受像機において、ＩＣテスターからの命令により前記ミュート動作を解除するミュート解除回路を設けることにより前記ＳＩＦ回路にテスト信号を印加する際に、前記ＶＩＦ回路に映像用のテスト信号を印加しないことを特徴とするＴＶ受像機。
【発明の詳細な説明】
【０００１】
【発明の属する技術分野】
本発明は、映像信号の不存在時に音声信号のミュートを行うＴＶ受像機に関するもので、特に音声信号のＳ／Ｎ等の特性を計るテストが簡単に行えるＴＶ受像機に関する。
【０００２】
【従来の技術】
映像信号の不存在時に音声信号のミュートを行うＴＶ受像機が登場している。これは、映像が表示されていないときにノイズがアンプされて放音されるのを防止する効果がある。
特にＰＡＬ方式では、規格でＩＤ（識別）回路と呼ばれる映像信号の有無を識別するものが存在しているので、ＩＤ回路の出力信号を用いれば、簡単にミュートが行える。
【０００３】
図２は、そのようなＴＶ受像機を示すもので、入力端子（１）からのＶＩＦ（ビデオ中間周波数）信号は、ＶＩＦ回路（２）で増幅及び検波される。インターキャリア方式のＶＩＦ回路（２）からは、音声ＩＦ信号が映像とともに発生し、フィルタ等を介して音声がＳＩＦ（音声中間周波数）回路（３）に印加される。
ＳＩＦ回路（３）では、音声信号の復調と増幅が行われる。
【０００４】
ＩＤ回路（４）は、ＶＩＦ回路（２）の出力信号中の映像信号に含まれる水平同期信号が存在するか否かで、映像信号の有無を識別する。そして、映像信号がありと識別したら、ＳＩＦ回路（３）へのミュートは行わない。逆に、映像信号がなしと識別したら、ＳＩＦ回路（３）へのミュートを行う。
ところで、ＩＣの製造過程ではＩＣ内部の各回路が正常に機能しているか否かをチェックする必要がある。図２の回路においても、ＶＩＦ回路（２）、ＳＩＦ回路（３）にテスト信号を印加し、その出力信号波形を観察している。
【０００５】
図３は、そのようなＴＶ受像機のテスト方法を示す。ＳＩＦ回路（３）にミュートがかからないようにするには、ＶＩＦ回路（２）にも信号を印加する必要がある。このため、ＶＩＦ回路（２）とＳＩＦ回路（３）に同時にテスト信号源（ＳＧ）（５）（６）からのテスト信号を印加する必要がある。そして、それぞれの出力信号をオシロスコープ（７）（８）などで測定してテストを行う。
【０００６】
【発明が解決しようとする課題】
しかしながら、図３の方法では２つのテスト信号を同時に印加する必要があるので、ＳＧが２台必要となり、測定コストがかかってしまうという問題がある。
又、音声信号の測定を行っている際に映像信号が隣接して発生しているので、相互に干渉を引き起こし、正確な測定ができないという問題がある。
【０００７】
【課題を解決するための手段】
本発明は、上述の課題を解決するためになされたもので、ビデオＩＦ信号の増幅及び検波を行うＶＩＦ回路と、該ＶＩＦ回路の出力信号中の音声成分の増幅及び検波を行うＳＩＦ回路と、前記ＶＩＦ回路中のビデオＩＦ信号が無信号状態であることを検出し、前記ＳＩＦ回路にミュートを行うＩＤ回路と、を備えるＴＶ受像機において、ＩＣテスターからの命令により前記ミュート動作を解除するミュート解除回路を設けることにより前記ＳＩＦ回路にテスト信号を印加する際に、前記ＶＩＦ回路に映像用のテスト信号を印加しないことを特徴とする。
【０００８】
【発明の実施の形態】
図１は、本発明のＴＶ受像機を示すもので、（９）及び（１０）は、ＩＤ回路（４）の出力信号に応じてＳＩＦ回路（３）内のアンプ（１１）をミュートするトランジスタ、（１２）はＳＩＦ回路（３）へのミュート動作が解除される解除信号を発生するＩＣテスター、（１３）はＩＣテスター（１２）からの解除信号とＡＦＴデイフィート信号とが印加される端子、（１４）はＡＦＴ回路、（１５）は前記解除信号が印加された時のみオンするトランジスタ、（１６）はミュート解除用のトランジスタである。
【０００９】
【課題を解決するための手段】
本発明は、上述の点に鑑みなされたもので、ビデオＩＦ信号の増幅及び検波を行うＶＩＦ回路と、該ＶＩＦ回路の出力信号中の音声成分の増幅及び検波を行うＳＩＦ回路と、前記ＶＩＦ回路中のビデオＩＦ信号が無信号状態であることを検出し、前記ＳＩＦ回路にミュートを行うＩＤ回路とを備えるＴＶ受像機において、
前記ＳＩＦ回路のテストを行う際には前記ミュート動作を解除するミュート解除回路を設け前記ＳＩＦ回路にテスト信号を印加する際に、映像用のテスト信号を使用しないことを特徴とする。
【００１０】
ＳＩＦ回路（３）の端子（１７）からのＳＩＦ信号は、リミッタ（１９）で振幅制限されてからＦＭ復調器（２０）でＦＭ復調される。ＦＭ復調された音声信号は、アンプ（１１）で増幅されて出力端子（２１）に導出される。
この時、端子（１３）にはＩＣテスター（１２）からの解除信号は印加されず、ＡＦＴデイフィート信号が印加されるだけである。トランジスタ（１５）のベース電圧は、例えば５Ｖに設定されている。そして、前記ＡＦＴデイフィート信号のレベルは５Ｖより十分に低く設定されている。すると、トランジスタ（１５）はオフを保ち、ＡＦＴデイフィート信号は、ＡＦＴ回路（４）にのみ印加される。  この状態でＩＤ回路（４）が同期信号の不存在を検出すると「Ｌ」レベルの信号を発生し、トランジスタ（９）をオンさせる。すると、トランジスタ（１０）がオンして「Ｌ」レベルの信号をアンプ（１１）に印加して、アンプ（１１）にミュート動作を行わせる。
【００１１】
従って、図１の装置によれば映像信号の不存在時に音声信号のミュートを行うことができる。
尚、ミュートしない場合は、トランジスタ（９）及び（１０）はオフしている。
次に、図１のＴＶ受像機が製造工程途中にあり、回路のテストを行うとする。この場合には、ＳＩＦ回路（３）の端子（１７）にはテスト信号源（６）を設けるが、ＶＩＦ回路（２）の端子（１）にはＳＧを設けない。このため、映像と音声の干渉も問題はない。又、ＩＣテスター（１２）からの命令に基づいて、ミュート動作が解除される解除信号が端子（１３）に印加される。
【００１２】
端子（１）には信号が印加されないので、ＩＤ回路（４）は無信号状態と判別してミュートするための「Ｌ」レベルの信号をトランジスタ（９）のベースに印加する。すると、前述のようにトランジスタ（１０）がオンしようとするが、５Ｖ以上の前記解除信号がトランジスタ（１５）に印加されると、トランジスタ（１５）がオンして、トランジスタ（１６）がオンする。すると、トランジスタ（１０）は強制的にオフとなり、アンプ（１１）に対するミュートが行われなくなる。
【００１３】
このため、端子（１７）からのテスト信号はＳＩＦ回路（３）を正常に通過して出力端子（２１）に導出され、正確なテストが可能となる。
【００１４】
【発明の効果】
以上述べた如く、本発明によれば、ＩＤ回路を備え、自動的にミュートが行われるＴＶ受像機においても簡単にＳＩＦ回路のテストを行うことができる。
特に本発明によれば、１台のＳＧを使用するだけでよいので、正確な測定とコストがかからないという効果がある。
【図面の簡単な説明】
【図１】本発明のＴＶ受像機を示す回路図である。
【図２】従来のＴＶ受像機を示す回路図である。
【図３】図２のＴＶ受像機の測定方法に供するための図である。
【符号の説明】
（２）      ＶＩＦ回路
（３）      ＳＩＦ回路
（４）      ＩＤ回路
（１６）    トランジスタ
【図１】
0003588167.tif 000002
【図２】
0003588167.tif 000003
【図３】
0003588167.tif 000004